【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
キャリアアグリゲーション（ＣＡ）をサポートするワイヤレス通信ネットワーク（８）における動作のために構成されるワイヤレスデバイス（１２）における方法（６００）であって、
前記ワイヤレスデバイス（１２）のサービングセル（１４）であり又は前記サービングセル（１４）に関連付けられる第１セル（１４）を基準として、第２セル（１４）についての前記ワイヤレスデバイス（１２）での信号到来時間における差を測定すること（６０２）と、
前記差を、前記第２セル（１４）を前記ワイヤレスデバイス（１２）の他のサービングセル（１４）として統合するための前記ワイヤレスデバイス（１２）において許容される最大時間差を表現する構成値と比較すること（６０４）と、
前記差が前記最大時間差を上回ると前記比較から判定することに応じて、定義済みのパターンに従ってランダムアクセスプリアンブルを送信することにより、前記第２セル（１４）についての範囲外条件を暗黙的にシグナリングすることと、
を含む方法（６００）。
【請求項２】
前記第１セル（１４）及び前記第２セル（１４）は、前記ワイヤレスデバイス（１２）のＣＡ構成においてサービングセル（１４）として構成され、前記第１セル（１４）及び前記第２セル（１４）は、前記ワイヤレスデバイス（１２）にサービスするためにアクティブ化される、請求項１の方法（６００）。
【請求項３】
前記構成値は、前記ワイヤレス通信ネットワーク（８）により前記ワイヤレスデバイス（１２）へシグナリングされる値であり、又は前記ワイヤレスデバイス（１２）にとって既知の予め定義される値である、請求項１〜２のいずれかの方法（６００）。
【請求項４】
前記第１セル（１４）及び前記第２セル（１４）は、
前記ワイヤレスデバイス（１２）のＣＡ構成におけるプライマリセル（ＰＣｅｌｌ）及びセカンダリセル（ＳＣｅｌｌ）、
前記ＣＡ構成における２つのセカンダリセル（ＳＣｅｌｌ）、又は
前記ワイヤレスデバイス（１２）についてのデュアル接続性構成におけるメイン基地局（１０）からのＰＣｅｌｌ、及び、前記デュアル接続性構成におけるセカンダリ基地局（１０）からのプライマリセカンダリセル（ＰＳＣｅｌｌ）、
のうちの１つを含む、請求項１の方法（６００）。
【請求項５】
キャリアアグリゲーション（ＣＡ）をサポートするワイヤレス通信ネットワーク（８）における動作のために構成されるワイヤレスデバイス（１２）であって、
通信インタフェース（３０）と、
前記通信インタフェース（３０）に動作可能に関連付けられる処理回路（３２）と、
を備え、
前記通信インタフェース（３０）は、前記ワイヤレス通信ネットワーク（８）内の第１セル（１４）及び第２セル（１４）から信号を受信するように構成され、
少なくとも前記第１セル（１４）は、前記ワイヤレスデバイス（１２）のサービングセル（１４）であり又は前記サービングセル（１４）に関連付けられており、
前記処理回路（３２）は、
前記第１セル（１４）を基準として、前記第２セル（１４）についての前記ワイヤレスデバイス（１２）での信号到来時間における差を測定し、
前記差を、前記第２セル（１４）を前記ワイヤレスデバイス（１２）についての他のサービングセル（１４）として統合するための前記ワイヤレスデバイス（１２）において許容される最大時間差を表現する構成値と比較し、
前記差が前記最大時間差を上回ると前記比較から判定することに応じて、定義済みのパターンに従ってランダムアクセスプリアンブルを送信することにより、前記第２セルについての範囲外条件を暗黙的にシグナリングする、
ように構成される、
ワイヤレスデバイス（１２）。
【請求項６】
前記第１セル（１４）及び前記第２セル（１４）は、前記ワイヤレスデバイス（１２）のＣＡ構成においてサービングセル（１４）として構成され、双方のセル（１４）は、前記ワイヤレスデバイス（１２）にサービスするためにアクティブ化される、請求項５のワイヤレスデバイス（１２）。
【請求項７】
前記構成値は、前記ワイヤレス通信ネットワーク（８）によりシグナリングされる値、及び、セルアグリゲーションのために前記ワイヤレスデバイス（１２）によりサポートされる最大到来時間差を表す前記ワイヤレスデバイス（１２）内に記憶される予め構成される値、のうちの１つである、請求項５〜６のいずれかのワイヤレスデバイス（１２）。
【請求項８】
前記第１セル（１４）及び前記第２セル（１４）は、
前記ワイヤレスデバイス（１２）のＣＡ構成におけるプライマリセル（ＰＣｅｌｌ）及びセカンダリセル（ＳＣｅｌｌ）、
前記ＣＡ構成における２つのセカンダリセル（ＳＣｅｌｌ）、又は
前記ワイヤレスデバイス（１２）についてのデュアル接続性構成におけるメイン基地局からのＰＣｅｌｌ、及び、前記デュアル接続性構成におけるセカンダリ基地局（１０）からのプライマリセカンダリセル（ＰＳＣｅｌｌ）、
のうちの１つを含む、請求項５のワイヤレスデバイス（１２）。
【請求項９】
キャリアアグリゲーション（ＣＡ）をサポートするワイヤレス通信ネットワーク（８）における動作のために構成されるネットワークノード（１０）における方法（７００）であって、
第２セルについてワイヤレスデバイス（１２）により送信されるランダムアクセスプリアンブルを受信することと、
前記ランダムアクセスプリアンブルが定義済みのパターンに従っていることを認識することに基づいて、前記ワイヤレスデバイス（１２）についてのサービングセル（１４）であり又は前記サービングセル（１４）に関連付けられる第１セル（１４）を基準として、前記第２セルについての前記ワイヤレスデバイス（１２）での信号到来時間における差が前記ワイヤレスデバイスの他のサービングセルとして前記第２セルを統合するための前記ワイヤレスデバイスにおいて許容される最大時間差を上回ることを検出することと、
前記検出に応じて、前記ワイヤレスデバイス（１２）のサービングセル（１４）としての、前記第２セル（１４）のアグリゲーション及びアクティブ化のうちの少なくとも１つを制御すること（７０４）と、
を含む方法（７００）。
【請求項１０】
前記第１セル（１４）及び前記第２セル（１４）は、双方とも前記ワイヤレスデバイス（１２）のＣＡ構成においてサービングセル（１４）として構成され、前記第２セル（１４）の前記アグリゲーション及び前記アクティブ化のうちの少なくとも１つを制御すること（７０４）は、前記検出に応じて、前記ワイヤレスデバイス（１２）へのサービスを基準として前記第２セル（１４）を非アクティブ化すること、を含む、請求項９の方法（７００）。
【請求項１１】
前記第１セル（１４）は、前記ワイヤレスデバイス（１２）のＣＡ構成におけるプライマリセル（ＰＣｅｌｌ）であり、前記第２セル（１４）は、前記ＣＡ構成に含まれる１つ以上のセカンダリセル（ＳＣｅｌｌ）のうちの１つであり、前記方法（７００）は、
前記ワイヤレスデバイス（１２）から周期的なモビリティレポートを受信することと、各レポートは前記ＰＣｅｌｌを基準とする前記ＳＣｅｌｌの１つ以上についての前記ワイヤレスデバイス（１２）での信号到来時間における差を示すことと、
１つ以上のレポートの各々について、
前記モビリティレポートから前記ワイヤレスデバイス（１２）の位置を判定することと、
前記ワイヤレスデバイス（１２）の前記位置に前記モビリティレポート内に含まれる到来時間における前記差を関連付けることと、
前記位置及び関連付けられる前記差をデータベース（２９）内に記憶することと、
を含む、請求項９〜１０のいずれかの方法（７００）。
【請求項１２】
キャリアアグリゲーション（ＣＡ）をサポートするワイヤレス通信ネットワーク（８）における動作のために構成されるネットワークノード（１０）であって、
通信インタフェース（２０）と、
前記通信インタフェース（２０）に動作可能に関連付けられる処理回路（２２）と、
を備え、
前記通信インタフェース（２０）は、
第２セルについてワイヤレスデバイスにより送信されるランダムアクセスプリアンブルを受信する、ように構成され、
前記処理回路（２２）は、
前記ランダムアクセスプリアンブルが定義済みのパターンに従っていることを認識することに基づいて、前記ワイヤレスデバイスについてのサービングセルであり又は前記サービングセルに関連付けられる第１セルを基準として、前記第２セルについての前記ワイヤレスデバイスでの信号到来時間における差が前記ワイヤレスデバイスの他のサービングセルとして前記第２セルを統合するための前記ワイヤレスデバイスにおいて許容される最大時間差を上回ることを検出し、
前記検出に応じて、前記ワイヤレスデバイス（１２）のサービングセル（１４）としての、前記第２セル（１４）のアグリゲーション及びアクティブ化のうちの少なくとも１つを制御する、ように構成される、
ネットワークノード（１０）。
【請求項１３】
前記第１セル（１４）及び前記第２セル（１４）は、双方とも前記ワイヤレスデバイス（１２）のＣＡ構成においてサービングセル（１４）として構成され、前記処理回路（２２）は、前記検出に応じて、前記ワイヤレスデバイス（１２）へのサービスを基準として前記第２セル（１４）を非アクティブ化する、ように構成される、請求項１２のネットワークノード（１０）。
【請求項１４】
前記第１セル（１４）は、前記ワイヤレスデバイス（１２）のＣＡ構成におけるプライマリセル（ＰＣｅｌｌ）であり、前記第２セル（１４）は、前記ＣＡ構成に含まれる１つ以上のセカンダリセル（ＳＣｅｌｌ）のうちの１つであり、前記処理回路（２２）は、
前記ＰＣｅｌｌを基準とする前記ＳＣｅｌｌの１つ以上についての前記ワイヤレスデバイス（１２）での信号到来時間における差を各々示す周期的なモビリティレポートを、前記ワイヤレスデバイス（１２）から受信し、
１つ以上のレポートの各々について、
前記モビリティレポートから前記ワイヤレスデバイス（１２）の位置を判定し、
前記ワイヤレスデバイス（１２）の前記位置に前記モビリティレポート内に含まれる到来時間における前記差を関連付け、
前記位置及び関連付けられる前記差をデータベース（２９）内に記憶する、
ように構成される、請求項１２〜１３のいずれかのネットワークノード（１０）。
【請求項１５】
前記ネットワークノードの１つ以上の処理回路（２４）が、
前記ワイヤレス通信ネットワーク（８）の複数のセル（１４）に関係するＣＡ構成で動作する複数のワイヤレスデバイス（１２）から周期的なモビリティレポートを経時的に受信し、前記データベース（２９）内に位置情報及び関連付けられる信号到来時間差を蓄積し、
前記データベース（２９）内の蓄積された前記位置情報及び関連付けられる信号到来時間差から、前記ワイヤレス通信ネットワーク（８）内の前記複数のセル（１４）についてのセルアグリゲーションのためのカバレッジ情報を導出し、
前記カバレッジ情報を用いて、前記カバレッジ情報に対応する前記ワイヤレス通信ネットワーク（８）のエリア内で動作する所与のワイヤレスデバイス（１２）について前記ワイヤレス通信ネットワーク（８）により行われたキャリアアグリゲーション決定を通知する、
ように構成される、請求項１４のネットワークノード（１０）。
【請求項１６】
前記１つ以上の処理回路（２４）は、少なくとも部分的に、前記カバレッジ情報を用いて、前記カバレッジ情報に対応する前記ワイヤレス通信ネットワーク（８）のエリア内で現在動作している所与のワイヤレスデバイス（１２）についてのＣＡ構成決定を行う、ように構成される、請求項１５のネットワークノード（１０）。
【手続補正２】
【補正対象書類名】明細書
【補正対象項目名】００４１
【補正方法】変更
【補正の内容】
【００４１】
ネットワークノード１０はさらに、ここで教示されるネットワーク側方法のいずれか又は全てを遂行するように構成される処理回路２２を含む。処理回路２２は、複数個のデジタル処理回路２４を含んでもよく、又は複数個のデジタル処理回路２４に含まれてもよい。そのような回路の非限定的な例には、マイクロプロセッサ、デジタル信号プロセッサ、特定用途向け集積回路（ＡＳＩＣ）、フィールドプログラマブルゲートアレイ（ＦＰＧＡ）、及び／又は、その他のデジタル処理回路が含まれる。そのような回路は、固定的な回路か、プログラミングされた回路か、又は、固定的な回路及びプログラミングされた回路の混成物として構成され得る。
【手続補正３】
【補正対象書類名】明細書
【補正対象項目名】００４７
【補正方法】変更
【補正の内容】
【００４７】
コンピュータ可読媒体３８は、実際に、媒体、例えばＥＥＰＲＯＭ、ＦＬＡＳＨ、及び／又はソリッドステートディスクといった、２つ以上のメモリデバイス及び／又は２つ以上のタイプのメモリを含んでもよい。コンピュータ可読媒体３８は、ＳＲＡＭといったワーキングメモリも含み得る。しかしながら、いずれのケースにおいても、コンピュータ可読媒体３８は、当該のコンピュータプログラム３６を非一時的状態で記憶し、即ち、コンピュータ可読媒体３８は、少なくとも何らかの永続性を有する記憶のために提供される。しかしながら、非一時的記憶が、永久的な又は不変の記憶を必ずしも意味せず、この用語が単なる信号の伝播を除外する旨に注意されたい。
【手続補正４】
【補正対象書類名】明細書
【補正対象項目名】００９０
【補正方法】変更
【補正の内容】
【００９０】
図１１は、ネットワークノード１０が、ＵＥ又は他のワイヤレスデバイス１２からのＣＱＩレポーティングをモニタリングし、当該ＣＱＩレポーティングに応じてアクションをとる例示的な方法１１００を示す。ネットワークノード１０は、例えば基地局であり、ワイヤレスデバイス１２に、ＣＡ構成におけるＳＣｅｌｌを成功裏にアクティブ化させ、ワイヤレスデバイス１２による周期的ＣＱＩレポーティングを構成した（ブロック１１０２）。ネットワークノード１０は、よって、ワイヤレスデバイス１２からＣＱＩレポートを受信し（ブロック１１０４）、ワイヤレスデバイス１２によりレポートされたＣＱＩが、信号到来時間における許容し得る最大時間差を基準としてＳＣｅｌｌが範囲内にあることを示すか否かをチェックする（ブロック１１０６）。